(57)【特許請求の範囲】
【請求項１】
電力をポータブル式電子装置の密閉式受信コイルに伝送させるために用いられるワイヤレス充電伝送装置であって、
本体と、
前記本体内に設けられ、第一突起構造を有する第一位置決めブロックと、
前記本体内に設けられると共に前記第一位置決めブロックと隣接し、前記第一位置決めブロックとの間には空間があり、第二突起構造を有する第二位置決めブロックと、
前記本体内に設けられ、前記電力を前記密閉式受信コイルに伝送させ、前記ポータブル式電子装置に対して充電させるために用いられる密閉式伝送コイルとを含み、
ここでは前記密閉式コイルは前記第一位置決めブロックと前記第二位置決めブロックの間の前記空間を貫くと共に、前記密閉式伝送コイルの二側面はそれぞれ前記第一位置決めブロックと前記第二位置決めブロックと接触し、前記密閉式伝送コイルのワイヤーラップはダンベル形状を示し、前記二側面の湾曲する程度はそれぞれ前記第一突起構造の湾曲率と前記第二突起構造の湾曲率とに基づいて決定されることを特徴とする、ワイヤレス充電伝送装置。
【請求項２】
前記密閉式伝送コイルは
前記密閉伝送コイルの第一側面に位置し、前記第一位置決めブロックと前記第二位置決めブロックとの間の空間を貫き、前記第一位置決めブロックと接触し湾曲する第一長側面区域と、
前記密閉伝送コイルの第二側面に位置し、前記第一位置決めブロックと前記第二位置決めブロックとの間の空間を貫き、前記第二位置決めブロックと接触し湾曲する第二長側面区域と、
前記空間の第一側面に位置すると共に、その両端は前記第一長側面区域と前記第二長側面区域にそれぞれ接続される第一短側面区域と、
前記空間の第二側面に位置すると共に、その両端は前記第一長側面区域と前記第二長側面区域にそれぞれ接続される第二短側面区域とを含むことを特徴とする、請求項１に記載のワイヤレス充電伝送装置。
【請求項３】
前記第一長側面区域は前記第一位置決めブロックから離れる方向に湾曲し、前記第二長側面区域は前記第二位置決めブロックから離れる方向に湾曲し、前記第一短側面区域は前記空間から離れる方向に湾曲し、前記第二短側面区域は前記空間から離れる方向に湾曲すると共に前記第一短側面区域と対称であることを特徴とする、請求項２に記載のワイヤレス充電伝送装置。
【請求項４】
前記第一位置決めブロックは前記空間と隣接し、前記第一長側面区域と接触することにより、前記第一長側面区域を前記第一位置決めブロックから離れる方向に湾曲させるために用いられ、前記第二位置決めブロックは前記空間と隣接し、前記第二長側面区域と接触することにより、前記第二長側面区域を前記第二位置決めブロックから離れる方向に湾曲させるために用いられることを特徴とする、請求項２に記載のワイヤレス充電伝送装置。
【請求項５】
前記第一位置決めブロックと前記第二位置決めブロックは対称方式で前記本体内に設けられ、前記第一位置決めブロックと前記第二位置決めブロックはどれも酸化鉄（Ｉｒｏｎ  ｏｘｉｄｅ）材質によって製造されることを特徴とする、請求項１に記載のワイヤレス充電伝送装置。
【請求項６】
電源供給ユニットに接続され、前記本体の外に露呈される電源コードと、
前記電源コードと前記密閉式伝送コイルに接続され、前記電源供給ユニットの駆動に応じて電流を発生させ、前記電流に前記密閉伝送コイルを流れさせることにより電磁効果を発生させ、前記電磁効果に応じて前記電力を発生させるために用いられる電力モジュールとを含むことを特徴とする、請求項１に記載のワイヤレス充電伝送装置。
【請求項７】
前記ポータブル式電子装置はさらに、
前記密閉式受信コイルを被覆するケース体と、
前記ケース体内に設けられると共に前記密閉受信コイルに接続され、前記密閉受信コイルから来る前記電力を保存するために用いられる充電電池とを含み、
前記本体と近づく、或いは、前記本体と接触する時、その内部の前記密閉式受信コイルは前記密閉伝送コイルの前記電力を受け取ることを特徴とする、請求項１に記載のワイヤレス充電伝送装置。
【請求項８】
前記ポータブル式電子装置はさらに、
ケース体と、
保護カバーであって、前記ケース体と、前記保護カバー内に設けられる前記密閉式受信コイルを被覆し、前記ケース体を保護するために用いられる保護カバーと、
前記ケース体内に設けられると共に前記密閉受信コイルに接続され、前記密閉受信コイルから来る前記電力を保存するために用いられる充電電池とを含み、
ここでは、前記保護カバーが前記本体に近づく、或いは、前記本体と接触する時、前記保護カバー内に位置する前記密閉式受信コイルは前記密閉式伝送コイルから来る前記電力を受け取ることを特徴とする、請求項１に記載のワイヤレス充電伝送装置。
【請求項９】
前記本体は収納凹部を含み、前記収納凹部は前記本体の上表面上に設けられ、収納凹部のサイズは前記ポータブル式電子装置のケース体や保護カバーのサイズに対応し、前記密閉式伝送コイルは前記収納凹部に対応し、前記収納凹部の下方に位置され、前記ポータブル式電子装置をその中に収納するために用いられることを特徴とする、請求項１に記載のワイヤレス充電伝送装置。
【請求項１０】
前記本体のサイズは前記ポータブル式電子装置のケース体や保護カバーのサイズと対応することを特徴とする、請求項１に記載のワイヤレス充電伝送装置。
【発明の詳細な説明】
【技術分野】
【０００１】
本発明は、充電伝送装置に関し、より詳しくは、ワイヤレス充電技術を利用したワイヤレス充電伝送装置に関する。
【背景技術】
【０００２】
科学技術の発展に伴い、各種電子装置はユーザーのニーズに応じて軽量薄型化し、各種電子装置メーカーは携帯可能なポータブル式電子装置を研究開発してきた。一般的に言えば、ポータブル式電子装置には携帯電話、個人用の携帯情報末端（Ｐｅｒｓｏｎａｌ  Ｄｉｇｉｔａｌ  Ａｓｓｉｓｔａｎｔ，ＰＤＡ）とポータブル型ゲーム機（例えば、ＰＳＰ、ＮＤＳＬとＧａｍｅｂｏｙシリーズのゲーム機）などが含まれる。
【０００３】
ポータブル式電子装置は携帯可能だという特性を有しているため、ポータブル式電子装置はいつも電源に接続させることができず、電力を提供する電池を取り付ける必要があり、ここでは、前記電池は充電電池であり、ユーザーは電源ソケットを有する場所においてポータブル式電子装置の充電電池に対して充電を行う。
【発明の概要】
【発明が解決しようとする課題】
【０００４】
しかしながら、従来の技術では、ポータブル式電子装置の電気量が不足する時、ユーザーは充電装置を使用して、ポータブル式電子装置の充電電池に対して充電を行う。従来の充電伝送装置はコネクターを有し、ユーザーは前記コネクターをポータブル式電子装置に差し込み、従来の充電伝送装置を電源に差し込み、従来の充電伝送装置は電源の電力をコネクターを通してポータブル式電子装置中に伝送させる。しかしながら、充電過程で、従来の充電伝送装置のコネクターの長さには限度があるため、ユーザーのポータブル式電子装置の充電過程中では、コネクターの制限を受け、その使用習慣に基づいて操作することや、そのポータブル式電子装置を任意に移動させることができない。
【０００５】
そのコネクターの有線充電方法によってもたらされる困難を鑑みて、その充電技術は日々発展しており、現在市場ではワイヤレス充電（Ｗｉｒｅｌｅｓｓ  Ｃｈａｒｇｉｎｇ）を行うことが可能なワイヤレス充電伝送装置が研究開発されている。図１を参照すると、これは従来のワイヤレス充電伝送装置とポータブル電子装置の構造概略図である。従来のワイヤレス充電伝送装置１は本体１０、電源コード１１、電力モジュール１２と伝送コイル１３を含み、従来のポータブル式電子装置２はケース体２０、密閉式受信コイル２１と充電電池（図示せず）を含む。
【０００６】
従来のワイヤレス充電伝送装置１では、電源コードは本体１０の外に露呈され、電源供給ユニット（図示せず）に接続させるために用いられる。電力モジュール１２と伝送コイル１３はどれも本体１０の内部に設けられ、電力モジュール１２はそれぞれ電源コード１１と伝送コイル１３と接続され、電力モジュール１２が電源供給ユニットによって駆動させられる時、電流を発生させ、電流は伝送コイル１３を通り、電磁効果を発生させ、伝送コイル１３は電磁効果によって発生される磁束量に応じて対応する電力を出力する。一方、従来のポータブル電子装置２では、密閉式受信コイル２１はケース２０内に設けられ、伝送コイル１３から来る電力を受け取るために用いられ、充電電池２２は密閉式受信コイル２１に接続され、これは密閉式受信コイル２１によって受取られる前記電力を保存し使用するために用いられる。
【０００７】
一般的に言えば、従来のワイヤレス充電伝送装置１の本体１０はプレート型に設計され、従来のワイヤレス充電伝送装置１の本体１０の体積は従来のポータブル式電子装置２のケース体２０の体積より大きく、ユーザーが従来のポータブル式電子装置２をその上に置きやすくさせる。従来のワイヤレス充電伝送装置１は電力を従来のポータブル式電子装置２に伝送させる過程において、ユーザーは特に従来のポータブル式電子装置２内部の密閉式受信コイル２１を従来のワイヤレス充電伝送装置１の伝送コイル１３に近づけさせる必要があり、伝送コイル１３を密閉式受信コイル２１に照準を合わせることによってのみ、密閉式受信コイル２１はその電力を受け取ることができる。
【０００８】
密閉式伝送コイルを密閉式受信コイルに近付けさせるため、市場では別な従来のワイヤレス充電伝送装置が提供されている。図２を参照すると、これは別な従来のワイヤレス充電伝送装置とポータブル式電子装置の構造概略図である。従来のワイヤレス充電伝送装置３は本体３０、電源コード３１、電力モジュール３２と複数の伝送コイル３３を含み、従来のワイヤレス充電伝送装置３の構造とその部材機能はどれも従来のワイヤレス充電伝送装置１と同様であるため、ここではむだな記述を省く。従来のワイヤレス充電伝送装置３と従来のワイヤレス充電伝送装置１の異なるところは、従来のワイヤレス充電伝送装置３は複数の伝送コイル３３を有しており、複数の伝送コイル３３は従来のワイヤレス充電伝送装置３内部に分布されており、ユーザーは従来のポータブル式電子装置２をその本体３０上に置くだけでよく、その本体３０内に位置される複数の伝送コイル３３は従来のポータブル式電子装置２内の密閉式受信コイル２１に対してワイヤレス充電を行う。
【０００９】
しかしながら、それぞれの伝送コイル３３と別の伝送コイル３３の間の距離は同じではなく、複数の伝送コイル３３の間の距離が比較的小さいところで発生する電磁効果は比較的強く、複数の伝送コイル３３の間の距離が比較的大きいところで発生する電磁効果は比較的弱く、そのため、不均一な電磁効果によって、ワイヤレス充電効率が低下してしまっていた。したがって、ワイヤレス充電効率を高めるワイヤレス充電伝送装置を提供する必要がある。
【００１０】
本発明は、このような従来の問題に鑑みてなされたものである。上記課題解決のため、本発明は、ワイヤレス充電効率を高めるワイヤレス充電伝送装置を提供することを主目的とする。
【課題を解決するための手段】
【００１１】
上述した課題を解決し、目的を達成するために、好ましい実施形態では、本発明に係るワイヤレス充電伝送装置は電力をポータブル式電子装置の密閉式受信コイルに伝送させるために用いられ、
本体と、
前記本体内に設けられる第一位置決めブロックと、
前記本体内に設けられると共に前記第一位置決めブロックと隣接し、前記第一位置決めブロックとの間には空間がある第二位置決めブロックと、
前記本体内に設けられ、前記電力を前記密閉式受信コイルに伝送させ、前記ポータブル式電子装置に対して充電させるために用いられる密閉式伝送コイルとを含み、
ここでは前記密閉式コイルは前記第一位置決めブロックと前記第二位置決めブロックの間の前記空間を貫くと共に、前記密閉式伝送コイルの二側面はそれぞれ前記第一位置決めブロックと前記第二位置決めブロックと接触することを特徴とする。
【００１２】
好ましい実施形態では、前記密閉式伝送コイルは
前記密閉伝送コイルの第一側面に位置し、前記第一位置決めブロックと前記第二位置決めブロックとの間の空間を貫き、前記第一位置決めブロックと接触し湾曲する第一長側面区域と、
前記密閉伝送コイルの第二側面に位置し、前記第一位置決めブロックと前記第二位置決めブロックとの間の空間を貫き、前記第二位置決めブロックと接触し湾曲する第二長側面区域と、
前記空間の第一側面に位置すると共に、その両端は前記第一長側面区域と前記第二長側面区域にそれぞれ接続される第一短側面区域と、
前記空間の第二側面に位置すると共に、その両端は前記第一長側面区域と前記第二長側面区域にそれぞれ接続される第二短側面区域とを含むことを特徴とする。
【００１３】
好ましい実施形態では、前記第一長側面区域は前記第一位置決めブロックから離れる方向に湾曲し、前記第二長側面区域は前記第二位置決めブロックから離れる方向に湾曲し、前記第一短側面区域は前記空間から離れる方向に湾曲し、前記第二短側面区域は前記空間から離れる方向に湾曲すると共に前記第一短側面区域と対称であり、前記密閉式伝送コイルのワイヤーラップ方法はダンベル形状を示すことを特徴とする。
【００１４】
好ましい実施形態では、前記第一位置決めブロックは第一突起構造を有し、前記空間と隣接し、前記第一長側面区域と接触することにより、前記第一長側面区域を前記第一位置決めブロックから離れる方向に湾曲させるために用いられ、前記第二位置決めブロックは第二突起構造を有し、前記空間と隣接し、前記第二長側面区域と接触することにより、前記第二長側面区域を前記第二位置決めブロックから離れる方向に湾曲させるために用いられることを特徴とする。
【００１５】
好ましい実施形態では、前記第一長側面区域が湾曲する程度は前記第一突起構造の湾曲率に基づき決定され、前記第二長側面区域が湾曲する程度は前記第二突起構造の湾曲率に基づき決定されることを特徴とする。
【００１６】
前記第一位置決めブロックと前記第二位置決めブロックは対称方式で前記本体内に設けられ、前記第一位置決めブロックと前記第二位置決めブロックはどれも酸化鉄（Ｉｒｏｎ  ｏｘｉｄｅ）材質によって製造されることを特徴とする。
【００１７】
好ましい実施形態では、電源供給ユニットに接続され、前記本体の外に露呈される電源コードと、
前記電源コードと前記密閉式伝送コイルに接続され、前記電源供給ユニットの駆動に応じて電流を発生させ、前記電流に前記密閉伝送コイルを流れさせることにより電磁効果を発生させ、前記電磁効果に応じて前記電力を発生させるために用いられる電力モジュールとを含むことを特徴とする。
【００１８】
好ましい実施形態では、前記ポータブル式電子装置はさらに、
前記密閉式受信コイルを被覆するケース体と、
前記ケース体内に設けられると共に前記密閉受信コイルに接続され、前記密閉受信コイルから来る前記電力を保存するために用いられる充電電池とを含み、
前記本体と近づく、或いは、前記本体と接触する時、その内部の前記密閉式受信コイルは前記密閉伝送コイルの前記電力を受け取ることを特徴とする。
【００１９】
好ましい実施形態では、前記ポータブル式電子装置はさらに、
ケース体と、
保護カバーであって、前記ケース体と、前記保護カバー内に設けられる前記密閉式受信コイルを被覆し、前記ケース体を保護するために用いられる保護カバーと、
前記ケース体内に設けられると共に前記密閉受信コイルに接続され、前記密閉受信コイルから来る前記電力を保存するために用いられる充電電池とを含み、
ここでは、前記保護カバーが前記本体に近づく、或いは、前記本体と接触する時、前記保護カバー内に位置する前記密閉式受信コイルは前記密閉式伝送コイルから来る前記電力を受け取ることを特徴とする。
【００２０】
好ましい実施形態では、前記本体は収納凹部を含み、前記収納凹部は前記本体の上表面上に設けられ、収納凹部のサイズは前記ポータブル式電子装置のケース体や保護カバーのサイズに対応し、前記密閉式伝送コイルは前記収納凹部に対応し、前記収納凹部の下方に位置され、前記ポータブル式電子装置をその中に収納するために用いられることを特徴とする。
【００２１】
好ましい実施形態では、前記本体のサイズは前記ポータブル式電子装置のケース体や保護カバーのサイズと対応することを特徴とする。
【発明の効果】
【００２２】
本発明のワイヤレス充電伝送装置によれば、ワイヤレス充電効率が高められる。
【図面の簡単な説明】
【００２３】
【図１】従来のワイヤレス充電伝送装置とポータブル式電子装置を示す構造概略図である。
【図２】別の従来のワイヤレス充電伝送装置とポータブル式電子装置を示す構造概略図である。
【図３】本発明の第一好ましい実施形態に係るポータブル式電子装置のワイヤレス充電伝送装置とポータブル式電子装置の構造概略図である。
【図４】本発明の第一好ましい実施形態に係るポータブル式電子装置のワイヤレス充電伝送装置とポータブル式電子装置のブロック概略図である。
【図５】本発明の第一好ましい実施形態に係るポータブル式電子装置のワイヤレス充電伝送装置のケース体の構造分解上面概略図である。
【図６】本発明の第二好ましい実施形態に係るポータブル式電子装置のワイヤレス充電伝送装置とポータブル式電子装置の構造概略図である。
【発明を実施するための形態】
【００２４】
以下に図面を参照して本発明を実施するための形態について、詳細に説明する。なお、本発明は、以下に説明する実施形態に限定されるものではない。
【００２５】
［第１実施形態］
まず、本発明のワイヤレス充電伝送装置の第１実施形態について説明する。本発明の第１実施形態の構成を図３から図５に示す。図３は本発明の第一好ましい実施形態に係るポータブル式電子装置のワイヤレス充電伝送装置とポータブル式電子装置の構造概略図であり、図４は本発明の第一好ましい実施形態に係るポータブル式電子装置のワイヤレス充電伝送装置とポータブル式電子装置のブロック概略図である。ワイヤレス充電伝送装置４は本体４０、電源コード４１、電力モジュール４２、第一位置決めブロック４３（図５参照）、第二位置決めブロック４４（図５参照）と密閉式伝送コイル４５を含み、ポータブル式電子装置５はケース体５０、密封式受信コイル５１と充電電池５２を含む。ワイヤレス充電伝送装置４の電源コード４１はその本体４０の外に露呈され、これは電源供給ユニット６と接続させるために用いられ、その本体４０は収納凹部４０１を有し、これは本体４０の上表面４０２上に設けられ、ポータブル式電子装置４をその中に収容させるために用いられる。本好ましい実施形態では、ワイヤレス充電伝送装置４の本体４０はプレート型であり、密閉式伝送コイル４５のワイヤーラップ方法はダンベル形状を示し、ポータブル式電子装置５は携帯電話であり、密閉式受信コイル５１のワイヤーラップ方法は円形を示す。
【００２６】
図４では、電力モジュール４２と密閉式伝送コイル４５はどれも本体４０内部に設けられ、電力モジュール４２はそれぞれ電源コード４１と密閉式伝送コイル４５に接続され、電力モジュール４２は電源供給ユニット６の駆動に応じて電流Ｉを発生させ、電流Ｉに密閉式伝送コイル４５を通過させることにより電磁効果を発生させ、密閉式伝送コイル４５は電磁効果によって発生される磁束量に応じて電力Ｅを発生させ、これにより、密閉式伝送コイル４５は電力Ｅを出力する。一方、ポータブル式電子装置５中では、そのケース体５０は密閉式受信コイル５１を被覆し、密閉式受信コイル５１はそのケース体５０がワイヤレス充電伝送装置４の本体４０やその本体４０と接触する時、密閉式伝送コイル４５から来る電力Ｅを受け取るために用いられ、充電電池５２はケース体５０内に設けられると共に密閉式受信コイル５１に接続され、密閉式受信コイル５１から来る電力Ｅを保存させるために用いられる。
【００２７】
図３からわかるように、本体４０の収納凹部４０１のサイズはポータブル式電子装置５のケース体５０のサイズに対応し、ポータブル式電子装置５内の密閉式受信コイル５１はワイヤレス充電伝送装置４の密閉式伝送コイル４５に照準を合わせ、ワイヤレス充電を行わせる。
【００２８】
次は密閉式伝送コイル４５について説明する。図５は本発明の第一好ましい実施形態に係るポータブル式電子装置のワイヤレス充電伝送装置のケース体の構造分解上面概略図である。第一位置決めブロック４３は本体４０内に設けられ、第二位置決めブロック４４は本体４０内に設けられると共に第一位置決めブロック４３と隣接し、第一位置決めブロック４３と第二位置決めブロック４４は対称方法で本体４０内に設けられ、第一位置決めブロック４３と第二位置決めブロック４４の間には空間４６がある。同様に本体４０内に設けられる密閉式伝送コイル４５は第一位置決めブロック４３と第二位置決めブロック４４の間の空間４６を貫き、密閉式伝送コイル４５の二側面はそれぞれ第一位置決めブロック４３と第二位置決めブロック４４と接触する（密閉式伝送コイル４５、第一位置決めブロック４３と第二位置決めブロック４４の構造を明確に表示させるため、図５では密閉式伝送コイル４５の二側面がそれぞれ第一位置決めブロック４３と第二位置決めブロック４４と接触する状況は図示していない）。本好ましい実施形態では、第一位置決めブロック４３と第二位置決めブロックはどれも酸化鉄（Ｉｒｏｎ  ｏｘｉｄｅ）材質によって製造される。
【００２９】
詳しく言えば、密閉式伝送コイル４５は第一長側面区域４５１、第二長側面区域４５２、第一短側面区域４５３と第二短側面区域４５４を含み、第一長側面区域４５１は密閉式伝送コイル４５の第一側面上に位置し、第一長側面区域４５１は第一位置決めブロック４３と第二位置決めブロック４４の間の空間４６を貫くと共に、第一位置決めブロック４３と接触し湾曲し、第一長側面区域４５１は第一位置決めブロック４３から離れる方向（図５中の右方向）に湾曲する。第二長側面区域４５２は密閉式伝送コイル４５の第二側面上に位置し、第二長側面区域４５２は第一位置決めブロック４３と第二位置決めブロック４４の間の空間４６を貫くと共に、第二位置決めブロック４４と接触し湾曲し、第二長側面区域４５２は第二位置決めブロック４４から離れる方向（図５中の左方向）に湾曲する。第一短側面区域４５３は前記空間４６の第一側面（図５中の上方側面）に位置づけられ、第一短側面区域４５３の両端はそれぞれ第一長側面区域４５１と第二長側面区域４５２に接続され、第二短側面区域４５４は前記空間４６の第二側面（図５中の下方側面）に位置づけられ、第二短側面区域４５４の両端はそれぞれ第一長側面区域４５１と第二長側面区域４５２に接続され、密閉式伝送コイル４５のワイヤーラップ方法はダンベル形状を示す。
【００３０】
図５の第一位置決めブロック４３は第一突起構造４３１を有し、これは前記空間４６と隣接し、これは第一長側面区域４５１と接触し、第一長側面区域４５１を第一位置決めブロック４３から離れる方向に湾曲させる。同様に、第二位置決めブロック４４は第二突起構造４４１を有し、これは前記空間４６と隣接し、これは第二長側面区域４５２と接触し、第二長側面区域４５２を第二位置決めブロック４４から離れる方向に湾曲させ、ここでは、第一長側面区域４５１の湾曲の程度は第一突起構造４３１の湾曲率によって決定され、第二長側面区域４５２の湾曲の程度は第二突起構造４４１の湾曲率によって決定される。第一位置決めブロック４３と第二位置決めブロック４４は対称方法で設けられるため、これは第一長側面区域４５１と第二長側面区域４５２は対称で湾曲させられる。
【００３１】
ちなみに、密閉式伝送コイル４５がその電流Ｉ＊の励起を受け、電磁効果を発生させる時、ダンベル形状の密閉式伝送コイル４５が発生させる電磁効果は均等に磁束量を発生させ、これにより、ダンベル形状の密閉式伝送コイル４５は対応する電力Ｅ＊を密閉式受信コイル５１へ出力させ、ワイヤレス充電を行う。密閉式伝送コイル４５はダンベル形状に設計され、電磁学理論を基礎とし、反復実験により証明されており、そのダンベル形状の密閉式伝送コイル４５のワイヤレス充電効率はより好ましい。
【００３２】
［第２実施形態］
次は、本発明のワイヤレス充電伝送装置の第２実施形態について説明する。図６は本発明の第二好ましい実施形態に係るポータブル式電子装置のワイヤレス充電伝送装置とポータブル式電子装置の構造概略図である。ワイヤレス充電伝送装置７は本体７０、電源コード７１、電力モジュール（図示せず）、第一位置決めブロック（図示せず）、第二位置決めブロック（図示せず）と密閉式伝送コイル７５を含み、ポータブル式電子装置８はケース体８０、密閉式受信コイル８１、充電電池（図示せず）と保護カバー８３を含み、本実施形態のワイヤレス充電伝送装置７とポータブル式電子装置８と第一実施形態の構造はほとんど相同であるため、前記両者の間の相同な部分に関しては説明を加えない。
【００３３】
本実施形態と第一実施形態の異なる点は二点ある。第一に、ワイヤレス充電伝送装置７の本体７０は収納凹部が設けられておらず、その本体７０のサイズはポータブル式電子装置８の保護カバー８３のサイズに対応し、ポータブル式電子装置８内の密閉式電子装置８内の密閉式受信コイル８１はワイヤレス充電伝送装置７の密閉式伝送コイル７５に照準を合わせ、ワイヤレス充電を行いやすくさせる。第二に、ポータブル電子装置８の密閉式受信コイル８１はそのケース体８０内に設けられず、これは保護カバー８３内に設けられ、その保護カバー８３はそのケース体８０を被覆し、これはケース体８０を保護するために用いられ、保護カバー８３内に位置する密閉式受信コイル８１はケース体８０内の充電電池に接続され、保護カバー８３はミニＵＳＢ（Ｍｉｎｉ  Ｕｎｉｖｅｒｓａｌ  Ｓｅｒｉｅｓ  Ｂｕｓ，Ｍｉｎｉ  ＵＳＢ）を通して、ケース体８０に接続され、保護カバー８３とケース体８０の間の電気的接続が確立される。
【００３４】
もちろん、本好ましい実施形態では本体７０は収納凹部を有する本体を採用してもよい。同様に、第一実施形態での密閉式受信コイルを保護カバー内に設けてもよい。
【００３５】
上述の二つの実施形態からわかるように、本発明のワイヤレス充電伝送装置は二つの位置決めブロックを利用し、密閉式伝送コイルをダンベル形状にさせ、ダンベル形状の密閉式伝送コイルが励起されるときに均等な磁束量を発生させるようにし、ワイヤレス充電効率を高める。これ以外に、本発明の無線充電伝送装置の本体はポータブル式電子装置やその保護カバーのサイズに符合する、或いは、その上表面上にポータブル式電子装置やその保護カバーのサイズに符合する収納凹部を設け、ポータブル式電子装置の密閉式受信コイルは容易にワイヤレス充電伝送装置の密閉式伝送コイルと重ね合わせられたり、交差されたりし、密閉式受信コイルが密閉式伝送コイルから来る電力を受け取り、さらにワイヤレス充電効率を高めるようにする。
【００３６】
以上、本発明はこのような実施形態に限定されるものではなく、発明の趣旨を逸脱しない範囲において、種々の形態で実施することができる。
【符号の説明】
【００３７】
１、４、７  ワイヤレス充電伝送装置
２、５、８  ポータブル式電子装置
６  電源供給ユニット
１０、４０、７０  本体
１１、４１、７１  電源コード
１２、４２  電力モジュール
１３、３３  伝送コイル
２０、５０、８０  ケース体
２１、５１、８１  密閉式受信コイル
４３  第一位置決めブロック
４４  第二位置決めブロック
４５、７５  密閉式伝送コイル
４６  空間
５２  充電電池
８３  保護カバー
４０１  収納凹部
４０２  本体の上表面
４３１  第一突起構造
４４１  第二突起構造
４５１  第一長側面区域
４５２  第二長側面区域
４５３  第一長側面区域
４５４  第二短側面区域
Ｅ  電力
Ｉ  電流
【図１】
0005452658.tif 000002
【図２】
0005452658.tif 000003
【図３】
0005452658.tif 000004
【図４】
0005452658.tif 000005
【図５】
0005452658.tif 000006
【図６】
0005452658.tif 000007